(57)【要約】      （修正有）【課題】子供が自ら動かして遊びを展開させることができ、乗り物と併用して飽きさせることなく継続的に楽しませること、ができる子供乗り物用付属玩具装置を提供する。【解決手段】装置ケース体１と、装置ケース体１内に垂直ポール４を介して浮上・旋回可能に内設される飛翔玩具２と、垂直ポール４に飛翔玩具２の浮上・旋回用の回転を与える操作部とを備える。装置ケース体１は、平面視が円形のベース部５と、ベース部５の上方を覆う透明なカバー部６とからなり、ベース部５は、カバー部６が取り付けられる固定ベース５ａ、垂直ポール４を備え、固定ベース５ａ上に回転可能に軸支されるとともに回転伝達機構を介して操作部に連繋される回転ベース５ｂとからなる。飛翔玩具２は、玩具側部から延びる連結アーム部材１５を備え、連結アーム部材１５の解放端側を垂直ポール４の所定高さ位置に、垂直ポール４の軸芯に対して交差状に枢支介して浮上・旋回可能に取り付けられる。【選択図】図３
0003183778.tif 000002
【実用新案登録請求の範囲】
【請求項１】
乗り物の車体に取り付けられる装置ケース体と、
該装置ケース体内に垂直ポールを介して浮上・旋回可能に内設される飛翔玩具と、
前記垂直ポールに前記飛翔玩具の浮上・旋回用の回転を与える操作部と、を備え、
前記装置ケース体は、平面視が円形のベース部と、このベース部の上方を適宜の高さにて覆うように同軸上に取り付けられる透明なカバー部とからなり、
前記ベース部は、前記カバー部が取り付けられる固定ベースと、前記垂直ポールを備え、前記固定ベース上に同軸回転可能に枢着されるとともに回転伝達機構を介して前記操作部に連繋される回転ベースとからなり、
前記飛翔玩具は、上方に延びる連結アーム部材を備え、該連結アーム部材の解放端側を前記垂直ポールの所定高さ位置に、当該垂直ポールの軸芯に対して交差状に枢支して浮上可能に取り付けられていることを特徴とする子供乗り物用付属玩具装置。
【請求項２】
前記飛翔玩具は、前記連結アーム部材の基端が位置する側部側に浮上用錘を備えていることを特徴とする請求項１に記載の子供乗り物用付属玩具装置。
【請求項３】
形態を変えた複数の前記飛翔玩具が、前記垂直ポールの軸周りに浮上・旋回可能に備えられていることを特徴とする請求項１または２に記載の子供乗り物用付属玩具装置。
【考案の詳細な説明】
【技術分野】
【０００１】
本考案は、子供乗り物用付属玩具装置に係り、特に、三輪車、二輪車、乗用玩具などの車体の前部などに装着されて、子供が乗用と併用して楽しむことができる付属玩具装置に関する。
【背景技術】
【０００２】
三輪車などの子供乗り物は、自力で走行するなどの子供が単独で、または、親の手助けを受けながら乗用を楽しむものであるが、好奇心が旺盛な子供が乗用と併用してさらに楽しむことができる付属玩具装置を備えている。特許文献１および２などでは三輪車の走行に連動して音を鳴らす付属玩具装置が提案されている。
例えば、特許文献１に記載では、三輪車のハンドルにオルゴール音（楽音）を鳴らす玩具装着を備えている。この玩具装置は、三輪車の前輪に圧接されて前輪の回転に連動して回転する伝導ローラからフレキシブルシャフトによって伝達されてくる動力によってドラムが回転することでオルゴール音を鳴らすようになっている。
【０００３】
また、特許文献３に記載されている幼児用三輪車のハンドルに装着される付属玩具装置（マスコット）も知られている。
【先行技術文献】
【特許文献】
【０００４】
【特許文献１】実開平７−２９５９４号公報
【特許文献２】実開平６−８３０９７号公報
【特許文献３】実開昭６１−１２２９９５号公報
【考案の概要】
【考案が解決しようとする課題】
【０００５】
特許文献２を含めて特許文献１に記載の従来技術では、三輪車の走行中に回転する前輪からの動力によってオルゴール音を鳴らす構成であることで、電池を必要とせずに、また、三輪車の走行速度に応じて早くまたは遅く音を鳴らすことによって子供にとってはオルゴール音に合わせたリズミカルな走行にて三輪車を楽しむことができるために有益と言える。
【０００６】
しかしながら、この従来技術では、三輪車を走行させない状態では音が鳴らない遊具態様であるために、例えば、子供が三輪車に乗ることを飽きて三輪車から降りたときなどには音が止まり、そうなると好奇心が旺盛な子供の関心も薄れる結果を招くことになる。つまり、好奇心が旺盛な子供は、長い時間継続して三輪車に乗ることをせずに、一定の時間三輪車に乗ると、三輪車から降りるなどして他の遊びを楽しみ、また、一定時間が過ぎると再び三輪車に乗ることを繰り返す傾向が見られる。そのために、三輪車から降りた子供が自ら動かして遊ぶことができない従来技術では、子供の関心が薄くなって遊ばなくなる結果を招くものであった。
【０００７】
本考案は、このような問題を解消することを課題の一例として創案されたものである。すなわち、子供が自ら動かして遊びを展開させることができる玩具態様とすること、乗り物と併用して飽きさせることなく継続的に楽しませることができること、などが本考案の目的である。
【課題を解決するための手段】
【０００８】
本考案に係る子供乗り物用付属玩具装置では少なくとも以下の構成を具備している。
乗り物の車体に取り付けられる装置ケース体と、該装置ケース体内に垂直ポールを介して浮上・旋回可能に内設される飛翔玩具と、前記垂直ポールに前記飛翔玩具の浮上・旋回用の回転を与える操作部とを備え、
前記装置ケース体は、平面視が円形のベース部と、このベース部の上方を適宜の高さにて覆うように同軸上に取り付けられる透明なカバー部とからなり、前記ベース部は、前記カバー部が取り付けられる固定ベースと、前記垂直ポールを同軸上に備え、前記固定ベース上に回転可能に枢着されるととともに回転伝達機構を介して前記操作部に連繋される回転ベースとからなり、前記飛翔玩具は、上方に延びる連結アーム部材を備え、該連結アーム部材の解放端側を前記垂直ポールの所定高さ位置に、当該垂直ポールの軸芯に対して交差状に枢支して浮上可能に取り付けられていることを特徴とする。
【０００９】
ここで、前記飛翔玩具は、前記連結アーム部材の基端が位置する側部側に位置させて浮上用錘を備えていること、また、形態を変えた複数の前記飛翔玩具が、前記垂直ポールの軸周りに浮上・旋回可能に備えられていること、などの構成を採用することが好適なものとなる。
【考案の効果】
【００１０】
本考案の子供乗り物用付属玩具装置によれば、操作部の操作で回転ベースと一体に垂直ポールを回転させて、当該回転に伴う遠心力（慣性力）で装置ケース体内の飛翔玩具を浮上・旋回させることができる。これにより、例えば、三輪車などの乗り物に乗ることに飽きた子供が一時的に乗用（乗車）をやめたときなどにおいて、子供自らの操作で浮上・旋回する飛翔玩具の動きによって子供を遊ばせ、乗用（乗車）とともに継続的に楽しませることができる。
【００１１】
また、飛翔玩具は、垂直ポールに浮上可能に連結される連結アーム部材の基端に位置する側部側に浮上用錘を備えているので、非力な子供が操作部を操作した際の僅かな回転（遠心力）であっても飛翔玩具を確実に浮上させて垂直ポールの軸周りを旋回させることができる。これにより、小さな子供から自力で乗り物に乗用することができる状態まで育った子供など、長期にわたって楽しませることができる。
【００１２】
また、形態を変えた複数の飛翔玩具を垂直ポールの軸周りに浮上・旋回可能に備えられていることで、好奇心が旺盛な子供の興味を引きつけてより一層効果的に遊ばせながら、乗用とともに継続的に楽しませることができる。
【図面の簡単な説明】
【００１３】
【図１】本考案の実施形態に係る付属玩具装置を適用させた子供用三輪車の一例を示す斜視図である。
【図２】同付属玩具装置を拡大して示す斜視図である
【図３】同付属玩具装置の縦断面図である。
【図４】同付属玩具装置の一部を除いて分解して示す斜視図である。
【図５】同付属玩具装置を、回転ベースの裏面側から見たときの斜視図である。
【図６】同付属玩具装置の回転伝達機構を概略的に示した説明図であり、（ａ）は、操作部の操作前の位置状態を示し、（ｂ）は、操作部の操作後の位置状態を示す。
【図７】飛翔玩具を浮上・旋回させた動作状態を示す同付属玩具装置の説明図である。
【考案を実施するための形態】
【００１４】
以下、本考案の実施形態の係る子供乗り物用付属玩具装置について、適宜図面を参照しながら詳細に説明する。
子供乗り物としては、三輪車、二輪車、乗用玩具などが挙げられるが、本実施形態では図１に示すように、子供用三輪車Ｂを一例に挙げて当該三輪車Ｂに適用される付属玩具装置Ａについて説明する。
【００１５】
≪子供用三輪車の構成≫
図１は、本考案の実施形態に係る付属玩具装置Ａを適用させた子供用三輪車Ｂの一例を示す斜視図である。
子供用三輪車（以後、単に「三輪車」と称する）Ｂは、周知のように、車体１００の前部に操作ハンドル１０１と左右に足踏みペダル１０２を有する前輪１０３を備え、車体１００の後部に左右の後輪１０４を備え、車体１００の中央部分に着座シート１０５を備えた構成を成している。また、三輪車Ｂは、着座シート１０５の後方位置に手押し棒１０６を備え、着座シート１０５の両側下方位置に左右の足載せステップ１０７を備えている。
【００１６】
このような構成からなる三輪車Ｂの操作ハンドル１０１に、図１に示すように、本実施形態に係る付属玩具装置Ａを装着している。
【００１７】
≪付属玩具装置の構成≫
図２は、本実施例に係る付属玩具装置Ａを示す斜視図であり、図３は、同付属玩具装置Ａを示す縦断面図であり、図４は、同付属玩具装置Ａを分解して示す斜視図である。
付属玩具装置Ａは、三輪車Ｂに乗る楽しみとは異なる遊びにて子供を遊ばせることができる遊具である。
この付属玩具装置Ａは、三輪車Ｂの操作ハンドル１０１に取り付けられる装置ケース体１と、該装置ケース体１内に垂直ポール４を介して浮上・旋回可能に内設される飛翔玩具２と、垂直ポール４に飛翔玩具２の浮上・旋回用の回転を与える操作部３とを備えて構成されている。
【００１８】
≪装置ケース体の構成≫
装置ケース体１は、平面視が円形のベース部５と、このベース部５の上方を適宜の高さにて覆うように取り付けられる透明なカバー部６とからなる。
ベース部５は、垂直ポール４を軸芯として浮上・旋回する飛翔玩具２が描く旋回（飛翔）軌道線よりも大きめ直径（外径）を有する平面視で円形状に形成されている。
このベース部５は、カバー部６が取り付けられる固定ベース５ａと、該固定ベース５ａ上に同軸回転可能に軸支される回転ベース５ｂとから構成されている。
【００１９】
固定ベース５ａは、装飾性を有する取付け部材（化粧部材）７を用いて、三輪車Ｂの左右の操作ハンドル１０１間に設けられている図示省略のブラケットにネジ止めなどによって取り付けられる。
この固定ベース５ａは、上面中心部に回転ベース５ｂの後記する回転枢支部１１を被嵌状に嵌め合わせて回転可能に枢着するための凸状の回転枢支部（ボス）８を備えている。
また、固定ベース５ａは、円周縁部に沿わせたその円周内側にカバー部６の下面開口縁部を係止させるための円周凸部９を備えているとともに、その外側にカバー部６の後記する開口鍔部１４を突き合わせ定着させるための円周取付け部１０を備えている。
【００２０】
回転ベース５ｂは、固定ベース５ａよりも直径が小さく、カバー部６内に遊嵌状に収まる程度の大きさを有する円形状に形成されているとともに、下面中心部に固定ベース５ａ側の回転枢支部８に被嵌状に枢着させるための下向き凹状の回転枢支部１１を備えている。
これにより、回転ベース５ｂは、下面中心部の回転枢支部１１を固定ベース５ａ側の上面中心部の回転枢支部８に被嵌状に嵌め合わせることで、固定ベース５ａ上に同軸回転可能に枢着されて組み付けられるようになっている。
また、回転ベース５ｂは、上面中心部に垂直ポール４を回動不能に起立させるための取付け部１２を備え、垂直ポール４が一体に回転するように取り付けられるように形成されている。
【００２１】
そして、このようにして固定ベース５ａ上に同軸回転可能に枢着されて組み込まれる回転ベース５ｂは、回転伝達機構１３を介して操作部３に連繋され、当該操作部３の操作のもとで回転するようになっている。
【００２２】
≪カバー部の構成≫
カバー部６は、固定ベース５ａに設けられている円周凸部の凸外周に嵌合される内径を有する下面開口で、閉鎖する上半部側を円形状（ドーム状）とする筒状を成し、その下面開口縁部に外向きの開口鍔部１４を備えている。また、カバー部６は、上半部側の円形頂部に後記する発光部２３が遊嵌状に収まる円頭部を備えている。
このように形成されているカバー部６は、開口鍔部１４を固定ベース５ａの円周取付け部１０に載置させてビス止めなどによって取り付けられることで、回転ベース５ｂ、飛翔玩具２、発光部２３を含めた固定ベース５ａの上方を覆うように組み付けられる。
【００２３】
≪飛翔玩具の構成≫
飛翔玩具２は、操作部３の手動操作によって回転ベース５ｂとともに高速回転する垂直ポール４によって、当該垂直ポール４の軸周りを浮上・旋回するものである。この飛翔玩具２としては特に限定されるものではないが、例えば、飛行機、車、鳥のキャラクタ、動物のキャラクタなどの子供が興味を持ち、三輪車Ｂに乗る乗用（乗車）と同様に楽しむことができる各種の形態を挙げることができる。本実施形態では、図２および図３に示したように、車形態を一例に挙げて説明する。
【００２４】
飛翔玩具２は、自力で三輪車Ｂを走行させるこができない子供から自力で走行することができる子供など、幅広い子供の興味を引きつける形態に形成されている。例えば、図示例のような形態を変えたスポーツカーや救急車などの車形態に形成されている。
そして、飛翔玩具２は、車体側部から車体上方に延びる連結アーム部材１５を備えている。この連結アーム部材１５の解放端側を垂直ポール４の所定の高さ位置に備えられている枢支部材１６に対して垂直ポール４の軸芯と交差状に取り付けられるピン部材１７によって、２台の飛翔玩具２は垂直ポール４に浮上可能（上下動可能）にそれぞれ取り付けられる。
なお、連結アーム部材１５の解放端が枢支される垂直ポール４の所定高さとは、連結アーム部材１５の飛翔玩具２から延出する長さにも関係するが、図３に示すように、回転ベース５ｂの無回転の状態で垂直ポール４の枢支部材１６との枢支部（ピン部材１７）から自重にて垂れ下がる飛翔玩具２の車体底部が回転ベース５ｂに接触せずに浮いている状態を保つ高さである。
【００２５】
また、飛翔玩具２は、回転ベース５ｂの回転による浮上力（遠心力）を助長するために、図３に示すように、連結アーム部材１５の取付け基端が位置する車体側部側の車体底部位置に浮上用錘２６を備えている。
これにより、飛翔玩具２が回転ベース５ｂの回転のもとで確実に浮上して垂直ポール４の軸周りを旋回するようにしている。つまり、非力な子供が操作部３を操作した際の僅かな回転（遠心力）であっても飛翔玩具２を確実に浮上させて垂直ポール４の軸周りを旋回（飛翔）させることができるようにしている。
【００２６】
≪操作部の構成≫
つぎに、複数の飛翔玩具２を垂直ポール４の軸回りに浮上可能に備えた回転ベース５ｂに回転伝達機構１３を介して回転を与える操作部３について説明する。
操作部３は、図１および図２に示すように、付属玩具装置Ａのベース部５（固定ベース５ａ）を三輪車Ｂの左右の操作ハンドル１０１に取り付ける取付け部材７の操作開口部１８から操作レバー３ａを外部に突出させるように固定ベース５ａの裏面側に回転可能に備えられるものである。
この操作部３は、図４および後記の図６に示すように、操作レバー３ａと、この操作レバー３ａの一端側に備えられる回転起動歯車３ｂとから形成されて、回転起動歯車３ｂが固定ベース５ａの裏面側に回転可能に枢支されるようになっている。また、操作部３は、後記の図６に示すように、操作レバー３ａにリターンバネ材１９の一端が取り付けられている。
これにより、操作レバー３ａが回転起動歯車３ｂの枢支部を支点として、図６（ａ）に示す操作前の位置から（ｂ）に示す操作後の位置へと手動操作されたとき、当該操作後の位置にて操作レバー３ａを摘まむ子供の手が操作レバー３ａから離されることで、図６（ａ）に示す操作前の位置に戻れるようになっている。つまり、子供は、図６（ｂ）に示す操作後の位置で操作レバー３ａから手を放すことを繰り返しながら、同操作レバー３ａを操作することで、回転ベース５ｂの回転速度を徐々に上げて、垂直ポール４の軸周りを浮上・旋回する飛翔玩具２のスリルのある動き（飛翔）を楽しむことができる。
【００２７】
≪回転伝達機構の構成≫
図５は、回転ベース５ｂの裏面側から見たときの付属玩具装置Ａの斜視図である。図６は、回転伝達機構１３を概略的に示した説明図である。
回転伝達機構１３は、操作部３の操作レバー３ａが図６（ａ）に示す位置から（ｂ）に示す位置へと手動操作されたときの回転起動歯車３ｂの回転を、回転ベース５ｂに伝えて当該回転ベース５ｂを高速回転させる。つまり、垂直ポール４に浮上可能に取り付けられる飛翔玩具２が浮上・旋回し得る回転速度にて回転ベース５ｂが回転するように操作部３の手動操作を回転ベース５ｂに伝えると同時に、回転ベース５ｂの回転を増速する機能を有する。
この回転伝達機構１３は、図５および図６に示すように、回転ベース５ｂの下面中心部に設けられる作動歯車１３ａと、固定ベース５ａの裏面側に設けられるギアボックス２０の出力軸２１に軸着されて作動歯車１３ａに噛合連繋する出力歯車１３ｂと、同じくギアボックス２０の入力軸２２に軸着されて操作部３の回転起動歯車３ｂに噛合連繋する入力歯車１３ｃとから構成されている。
【００２８】
作動歯車１３ａは、所定のリング内径を有する内歯車であり、回転ベース５ｂの裏面中心部（軸芯）に同軸上に取り付けられる。そして、この作動歯車１３ａに噛合連繋される出力歯車１３ｂは、入力歯車１３ｃによりギアボックス２０内に入力される操作部３の回転起動歯車３ｂの回転を作動歯車１３ａに出力伝達する役目を成す小径歯車である。
一方、入力歯車１３ｃは、操作部３の回転起動歯車３ｂと噛合連繋して、当該回転起動歯車３ｂの回転をギアボックス２０内に入力伝達する役目を成す小径歯車である。
【００２９】
なお、ギアボックス２０内の具体的な構造について省略しているが、当該ギアボックス２０内には作動歯車１３ａと出力歯車１３ｂとの関係で行われる回転の増速を図る歯車群と、操作部３の操作レバー３ａを図６（ａ）の位置から（ｂ）の位置へと操作したとき、操作レバー３ａがリターンバネ材１９により図６（ａ）の位置へと戻されるように、入力歯車１３ｃをフリー状態にするための例えば、ワンウェイクラッチを備えたクラッチ装置などが一連に連繋された状態で内設されている。
【００３０】
また、本実施形態では、内部の具体的な構造については省略しているが、飛翔玩具２を浮上可能に備える垂直ポール４の上端側に、フラッシュ光などの光を発する発光部２３を回転可能に備えている。この発光部２３は、図２に示すように、取付け部材７に外部露出状に備えられている押しボタン２４を押すことで、フラッシュ光などの光を一定の時間継続的に、または、断続的に発するように形成されている。
この発光部２３は、図３に示すように、カバー部６の円頭部に設けられている突起部２５が挿し込み係止された状態でカバー部６の円頭部に同軸上に内設され、これにより、垂直ポール４の上端を回転可能に支持するようになっている。つまり、垂直ポール４は、芯振れを引き起こすことなく回転ベース５ｂとともに高速回転して、飛翔玩具２を浮上・旋回させるものである。
【００３１】
［作用説明］
つぎに、以上のように構成されている本実施形態に係る付属玩具装置Ａについて簡単に説明する。図７は、飛翔玩具２を浮上・旋回させた動作状態（飛翔状態）を示す付属玩具装置Ａの説明図である。ここでは、図２および図６を適宜参照しながら説明する。
例えば、自力走行で一定の時間三輪車Ｂで遊んだ子供が、三輪車Ｂから降りた場合などにおいて、図２および図６（ａ）に示す操作前の位置にて取付け部材７から外部に突出臨む操作部３の操作レバー３ａを摘まんで、図６（ｂ）に示す操作位置へと自ら操作することで、その操作による回転が操作部３の回転起動歯車３ｂから回転伝達機構１３の入力歯車１３ｃを介してギアボックス２０内に伝達され、同ギアボックス２０内で増速された回転が出力歯車１３ｂを介して回転ベース５ｂ裏面の作動歯車１３ａへと伝達される。すると、ギアボックス２０内で増速された回転が出力歯車１３ｂと作動歯車１３ａとの関係においてさらに増速されて回転ベース５ｂに伝達され、回転ベース５ｂは高速回転する。これにより、垂直ポール４の軸周りに浮上可能に備えられている飛翔玩具２は、回転ベース５ｂの回転に伴う浮上力（遠心力）によって、図７に示すように、連結アーム部材１５の枢支部（ピン部材１７）を支点に浮上し、垂直ポール４の軸周りを旋回（飛翔）する。
また、子供が操作レバー３ａの操作（（ａ）位置から（ｂ）位置）を繰り返すことで、回転ベース５ｂの回転はさらに増速され、飛翔玩具２は目にも止まらない高速旋回を繰り返す。これにより、好奇心が旺盛な子供を飽きさせることなく、三輪車Ｂの乗用（乗車）とともに継続的に楽しませることができる。
【００３２】
また、このとき、取付け部材７に備えられている押しボタン２４を押すと、発光部２３からフラッシュ光などの光が発光されることで、浮上・旋回する飛翔玩具２の動き（飛翔）を効果的に演出することができる。
【００３３】
以上、本考案の実施の形態について図面を参照して詳述してきたが、具体的な構成はこれらの実施の形態に限られるものではなく、本考案の要旨を免脱しない範囲の設計の変更などがあっても本考案に含まれるものである。また、各図の記載内容はそれぞれ独立した実施形態になり得るものであり、本考案の実施形態は各図を組み合わせた一つの実施形態に限定されるものではない。
【符号の説明】
【００３４】
Ａ      付属玩具装置
Ｂ      三輪車（乗り物）
１      装置ケース体
２      飛翔玩具
３      操作部
３ａ    操作レバー
３ｂ    回転起動歯車
４      垂直ポール
５      ベース部
５ａ    固定ベース
５ｂ    回転ベース
６      カバー部
１３    回転伝達機構
１３ａ  作動歯車
１３ｂ  出力歯車
１３ｃ  入力歯車
１５    連結アーム部材
２０    ギアボックス
２６    浮上用錘
１００  車体（乗り物）
【図１】
0003183778.tif 000003
【図２】
0003183778.tif 000004
【図３】
0003183778.tif 000005
【図４】
0003183778.tif 000006
【図５】
0003183778.tif 000007
【図６】
0003183778.tif 000008
【図７】
0003183778.tif 000009